(57)【要約】【課題】  本発明は、外面に使用開始日などを明瞭に記載可能な電池を提供することを目的とする。【解決手段】  本発明の電池１０は、電荷が蓄積された円柱または四角柱の形状の本体１２と、本体１２の外面を覆うメタルジャケット１４と、メタルジャケット１４の一部または全部を覆い、表面に凹凸を有するフィルム１６と、を含む。なお、上記四角柱は角が丸まったものも含む。フィルム１６は紙などが使用可能である。任意の筆記具で電池１０に記載が可能となる。【選択図】    図１
2005235563.tif 000002
【特許請求の範囲】
【請求項１】
外装の一部または全部を覆い、筆記具で記載が可能な表面に凹凸を有するフィルムを含む電池。
【請求項２】
前記フィルムが、多孔質のフィルムを含む請求項１に記載の電池。
【請求項３】
前記多孔質のフィルムが紙を含む請求項２に記載の電池。
【発明の詳細な説明】
【技術分野】
【０００１】
本発明は電池に関するものである。
【背景技術】
【０００２】
現在、多種多様の電池が存在する。その中でも最もポピュラーな電池が乾電池（一次電池）である。
【０００３】
乾電池は、円柱または四角柱の形状となっている。乾電池の外装は鉄製のメタルジャケットが使用される。また、メタルジャケット以外にプラスチック製の外装を使用する場合もある。
【０００４】
乾電池の使用期間を確認することによって、乾電池の残り容量を推測することができる。乾電池の残り容量を推測することによって、新たな乾電池を用意したりすることができる。新たな乾電池を用意することによって、出先で使用中の乾電池の容量がなくなっても新たな乾電池を使用することができる。
【０００５】
使用する乾電池の全ての期間を記憶しておくことはほとんど無理である。乾電池の外面に使用開始日を記載しておくことができれば非常に便利である。
【０００６】
メタルジャケットやプラスチック製の外装に使用開始日を記載する場合、油性インクのマジックなどに限定される。鉛筆では乾電池のメタルジャケットなどに使用開始日を記載しようとしても、亜鉛が擦れず、記載が困難である。また、油性インキのマジックであっても、乾電池の表面を擦ってしまうと記載した文字が消えてしまう。任意の用紙に使用開始日を記載しておくことも可能であるが、非常に不便である。
【０００７】
また、残り容量の異なる複数の乾電池を同時に使用すると、容量の多い乾電池が少ない乾電池に充電をおこない、爆発を起こすことがある。このことからも、乾電池の使用開始日などを乾電池自体に記載しておくことは重要である。
【発明の開示】
【発明が解決しようとする課題】
【０００８】
本発明は、表面に使用開始日などを明瞭に記載可能な電池を提供することを目的とする。
【課題を解決するための手段】
【０００９】
本発明の電池の要旨は、外装の一部または全部を覆い、表面に凹凸を有するフィルムとを含むことにある。
【００１０】
前記フィルムは、多孔質のフィルムであってもよい。
【００１１】
前記多孔質のフィルムは紙であってもよい。
【発明の効果】
【００１２】
本発明は、電池の表面に凹凸を有するフィルムを含むことによって、鉛筆やボールペンなどの筆記具によって電池の表面に記載が可能となる。また、フィルムに記載した文字を擦ったとしても消えにくい。
【発明を実施するための最良の形態】
【００１３】
本発明の実施の形態について図面を用いて説明する。なお、本明細書および図面おいて、符号１０は１０ａ，１０ｂ，１０ｃ，１０ｄを総括的に示す。また、符号１６は１６ａ，１６ｂ，１６ｃ，１６ｄを総括的に示す。
【００１４】
図１に示すように、本発明の電池１０ａは、電荷が蓄積された円柱または四角柱の形状の本体１２と、本体１２の外面を覆うメタルジャケット１４と、メタルジャケット１４の一部または全部を覆い、表面に凹凸を有するフィルム１６ａと、を含む。なお、上記四角柱は角が丸まったものも含む。
【００１５】
本体１２の一例としては、亜鉛の容器内に二酸化マンガン、アセチレンブラック、塩化亜鉛水を充填し、さらに炭素棒を容器内に挿入し、容器の開口部を金属板で封止し、＋極および−極が露出するように絶縁体で覆ったものである。
【００１６】
メタルジャケット１４は本体１２の側面を覆う外装である。
【００１７】
フィルム１６ａの位置、大きさなどは限定されない。図１のようにメタルジャケット１４の周方向の一部を覆う以外に、図２（ａ）のようにメタルジャケット１４の全体を覆ってもよい。その他、図２（ｂ）に示すようにメタルジャケット１４の長手方向の途中の一部を覆うようにしてもよい。
【００１８】
フィルム１６の形状も四角形や長方形以外にも、図３に示す円形など任意の形状であってもよい。
【００１９】
フィルム１６の数は１つに限られず、２つ以上であってもよい。
【００２０】
フィルム１６は表面に微細な凹凸があるものであれば任意である。例えば、樹脂フィルムなどが可能である。凹凸の大きさおよび形状は任意である。凹凸によって鉛筆の亜鉛が擦れ、記載することができる。
【００２１】
フィルム１６の表面に微細な凹凸を設けることによって、任意の筆記具でフィルム１６に記載が可能となる。例えば、鉛筆であっても記載が可能である。
【００２２】
また、フィルム１６は多孔質のフィルムであってもよい。すなわち微小な孔によって上記の凹凸を形成する。上記と同様に任意の筆記具で記載が可能となる。
【００２３】
さらに、多孔質のフィルムは紙であってもよい。紙であれば任意の筆記具で記載可能である。また、鉄とは異なり、記載した文字を擦っても消えにくい。
【００２４】
紙の種類としては、印刷用紙、情報用紙、包装用紙、和紙、再生紙など任意のものが使用可能である。
【００２５】
上記フィルム１６の色は白色が好ましいが、筆記具で記載したときに文字が明瞭に読みとれるのであれば任意の色でよい。
【００２６】
上記フィルム１６は、接着剤によってメタルジャケット１４に張り付ける。接着剤はエポキシ樹脂やアクリル樹脂などを使用する。
【００２７】
上記のように、本発明は、電池１０に微細な凹凸を有するフィルム１０を設けることによって、鉛筆をはじめとした任意の筆記具で電池１０に記載が可能となる。電池１０の使用開始日などを記載することができ、電池１０を使用するときの残り容量などを確認しやすくなる。任意の用紙に使用開始日を記載せずに、電池１０に記載しておくことができるため、非常に便利である。
【００２８】
本発明の電池１０は一次電池、二次電池を問わない。一次電池であれば、残り容量がわかり、従来技術に記載した電池１０の爆発を防ぐことができる。
【００２９】
上記の実施形態のメタルジャケット１４以外に、プラスチック製の外装であってもよい。
【００３０】
以上、本発明について説明したが本発明は上記の実施形態に限定されることはない。その他、本発明は、主旨を逸脱しない範囲で当業者の知識に基づき種々の改良、修正、変更を加えた態様で実施できるものである。
【図面の簡単な説明】
【００３１】
【図１】本発明の電池を示す斜視図である。
【図２】本発明の他の電池を示す斜視図であり、（ａ）はフィルムを全体に設けた図であり、（ｂ）は長手方向の一部を覆うようにフィルムを設けた図である。
【図３】本発明の他の電池を示す斜視図であり、フィルムの形状を円形にした場合の図である。
【符号の説明】
【００３２】
１０：電池
１２：本体
１４：メタルジャケット
１６：フィルム
【図１】
2005235563.tif 000003
【図２】
2005235563.tif 000004
【図３】
2005235563.tif 000005